【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、
として機能させることを特徴とする情報表示プログラム。
【請求項２】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と類似であると判定された商品画像に対応する商品情報の視認性を低下させる視認性低下手段、
として機能させることを特徴とする情報表示プログラム。
【請求項３】
請求項１に記載の情報表示プログラムであって、
前記視認性低下手段としての前記コンピュータを、前記商品情報に含まれる一部の商品情報のみ視認性を低下させるように機能させることを特徴とする情報表示プログラム。
【請求項４】
請求項１又は３に記載の情報表示プログラムであって、
コンピュータを、
商品を検索するための検索条件を受け付ける検索条件受付手段、
前記受け付けられた検索条件を示す検索条件情報を、情報提供サーバに対して送信する検索条件送信手段、
として更に機能させ、
前記表示情報取得手段としての前記コンピュータを、前記情報提供サーバから、前記検索条件に基づいて検索された商品の前記表示情報と、当該表示情報が表示する商品画像間の類似度を示す類似度情報とを取得するように機能させ、
前記視認性低下手段としての前記コンピュータを、前記取得された類似度情報の示す類似度に基づいて前記選択された商品の商品画像と非類似であると判定された商品画像に対応する商品情報の視認性を低下させるように機能させることを特徴とする情報表示プログラム。
【請求項５】
請求項１又は３に記載の情報表示プログラムであって、
コンピュータを、
商品を検索するための検索条件を受け付ける検索条件受付手段、
前記受け付けられた検索条件を示す検索条件情報を、情報提供サーバに対して送信する検索条件送信手段、
として更に機能させ、
前記表示情報取得手段としての前記コンピュータを、前記情報提供サーバから、前記検索条件に基づいて検索された商品の前記表示情報を取得するように機能させ、
前記コンピュータを、
前記選択された商品以外の商品に対応する商品画像であって、前記表示情報に含まれていない商品画像を、前記情報提供サーバから取得する商品画像取得手段、
として更に機能させ、
前記視認性低下手段としての前記コンピュータを、前記選択された商品の商品画像と、前記商品画像取得手段により取得された商品画像との類似度に基づいて、前記選択された商品の商品画像と非類似であると判定された商品画像に対応する商品情報の視認性を低下させるように機能させることを特徴とする情報表示プログラム。
【請求項６】
コンピュータを、
商品画像を含む商品情報を商品毎に表示する表示情報を取得する表示情報取得手段、
前記取得した表示情報の少なくとも一部を表示部に表示させる表示制御手段、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、
として機能させる情報表示プログラムを記録したコンピュータ読み取り可能な記録媒体。
【請求項７】
コンピュータにより実行される情報表示方法であって、
商品画像を含む商品情報を商品毎に表示する表示情報を取得するステップと、
前記取得した表示情報の少なくとも一部を表示部に表示させるステップと、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させるステップと、
を含むことを特徴とする情報表示方法。
【請求項８】
商品画像を含む商品情報を商品毎に表示する表示情報を取得する表示情報取得手段と、
前記取得した表示情報の少なくとも一部を表示部に表示させる表示制御手段と、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、
を備えることを特徴とする情報表示装置。
【請求項９】
ネットワークを介して接続された情報表示装置と情報提供サーバとを含む情報提供システムであって、
前記情報表示装置は、
商品を検索するための検索条件を受け付ける検索条件受付手段と、
前記受け付けられた検索条件を示す検索条件情報を、情報提供サーバに対して送信する検索条件送信手段と、
前記情報提供サーバから、商品画像を含む商品情報を前記検索条件を満たす商品毎に表示する表示情報を取得する表示情報取得手段と、
前記取得した表示情報の少なくとも一部を表示部に表示させる表示制御手段と、
前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、
を備え、
前記情報提供サーバは、
前記検索条件送信手段により送信された検索条件情報に基づいて、前記表示情報を生成する表示情報生成手段と、
前記生成された表示情報を前記情報表示装置に送信する表示情報送信手段と、
を備えることを特徴とする情報提供システム。
【手続補正２】
【補正対象書類名】明細書
【補正対象項目名】０００７
【補正方法】変更
【補正の内容】
【０００７】
上記課題を解決するために、請求項１に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、として機能させることを特徴とする情報表示プログラムである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と類似であると判定された商品画像に対応する商品情報の視認性を低下させる視認性低下手段、として機能させることを特徴とする情報表示プログラムである。
【手続補正６】
【補正対象書類名】明細書
【補正対象項目名】００１３
【補正方法】変更
【補正の内容】
【００１３】
請求項３に記載の発明は、請求項１に記載の情報表示プログラムであって、前記視認性低下手段としての前記コンピュータを、前記商品情報に含まれる一部の商品情報のみ視認性を低下させるように機能させることを特徴とする。
【手続補正７】
【補正対象書類名】明細書
【補正対象項目名】００１５
【補正方法】変更
【補正の内容】
【００１５】
請求項４に記載の発明は、請求項１又は３に記載の情報表示プログラムであって、コンピュータを、商品を検索するための検索条件を受け付ける検索条件受付手段、前記受け付けられた検索条件を示す検索条件情報を、情報提供サーバに対して送信する検索条件送信手段、として更に機能させ、前記表示情報取得手段としての前記コンピュータを、前記情報提供サーバから、前記検索条件に基づいて検索された商品の前記表示情報と、当該表示情報が表示する商品画像間の類似度を示す類似度情報とを取得するように機能させ、前記視認性低下手段としての前記コンピュータを、前記取得された類似度情報の示す類似度に基づいて前記選択された商品の商品画像と非類似であると判定された商品画像に対応する商品情報の視認性を低下させるように機能させることを特徴とする。
【手続補正８】
【補正対象書類名】明細書
【補正対象項目名】００１７
【補正方法】変更
【補正の内容】
【００１７】
請求項５に記載の発明は、請求項１又は３に記載の情報表示プログラムであって、コンピュータを、商品を検索するための検索条件を受け付ける検索条件受付手段、前記受け付けられた検索条件を示す検索条件情報を、情報提供サーバに対して送信する検索条件送信手段、として更に機能させ、前記表示情報取得手段としての前記コンピュータを、前記情報提供サーバから、前記検索条件に基づいて検索された商品の前記表示情報を取得するように機能させ、前記コンピュータを、前記選択された商品以外の商品に対応する商品画像であって、前記表示情報に含まれていない商品画像を、前記情報提供サーバから取得する商品画像取得手段、として更に機能させ、前記視認性低下手段としての前記コンピュータを、前記選択された商品の商品画像と、前記商品画像取得手段により取得された商品画像との類似度に基づいて、前記選択された商品の商品画像と非類似であると判定された商品画像に対応する商品情報の視認性を低下させるように機能させることを特徴とする。
【手続補正９】
【補正対象書類名】明細書
【補正対象項目名】００１９
【補正方法】変更
【補正の内容】
【００１９】
請求項６に記載の発明は、コンピュータを、商品画像を含む商品情報を商品毎に表示する表示情報を取得する表示情報取得手段、前記取得した表示情報の少なくとも一部を表示部に表示させる表示制御手段、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段、として機能させる情報表示プログラムを記録したコンピュータ読み取り可能な記録媒体である。
【手続補正１０】
【補正対象書類名】明細書
【補正対象項目名】００２０
【補正方法】変更
【補正の内容】
【００２０】
請求項７に記載の発明は、コンピュータにより実行される情報表示方法であって、商品画像を含む商品情報を商品毎に表示する表示情報を取得するステップと、前記取得した表示情報の少なくとも一部を表示部に表示させるステップと、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させるステップと、を含むことを特徴とする情報表示方法である。
【手続補正１１】
【補正対象書類名】明細書
【補正対象項目名】００２１
【補正方法】変更
【補正の内容】
【００２１】
請求項８に記載の発明は、商品画像を含む商品情報を商品毎に表示する表示情報を取得する表示情報取得手段と、前記取得した表示情報の少なくとも一部を表示部に表示させる表示制御手段と、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、を備えることを特徴とする情報表示装置である。
【手続補正１２】
【補正対象書類名】明細書
【補正対象項目名】００２２
【補正方法】変更
【補正の内容】
【００２２】
請求項９に記載の発明は、ネットワークを介して接続された情報表示装置と情報提供サーバとを含む情報提供システムであって、前記情報表示装置は、商品を検索するための検索条件を受け付ける検索条件受付手段と、前記受け付けられた検索条件を示す検索条件情報を、情報提供サーバに対して送信する検索条件送信手段と、前記情報提供サーバから、商品画像を含む商品情報を前記検索条件を満たす商品毎に表示する表示情報を取得する表示情報取得手段と、前記取得した表示情報の少なくとも一部を表示部に表示させる表示制御手段と、前記表示された表示情報に含まれる商品の中で選択操作により選択された商品の商品画像と、前記表示情報に含まれるその他の商品画像との類似度に基づいて、前記選択された商品の商品画像と非類似であると判定された商品画像に対応する商品情報の視認性を低下させる視認性低下手段と、を備え、前記情報提供サーバは、前記検索条件送信手段により送信された検索条件情報に基づいて、前記表示情報を生成する表示情報生成手段と、前記生成された表示情報を前記情報表示装置に送信する表示情報送信手段と、を備えることを特徴とする情報提供システムである。